(57)【要約】【課題】  省スペース化が可能で、ノート型パソコンにも容易に設置可能な電子機器用熱交換器を提供する。【解決手段】  本発明は、放熱部１５と、放熱部１５に冷却空気を送風するファン１７とを備えた電子機器１９用熱交換器１４であって、放熱部１５はファン１７の外周に設けられ、放熱部１５に軸方向から流入した前記冷却空気が径方向に流出し、放熱部１５を通過可能なように構成されていることを特徴とする。そして、好ましくは、放熱部１５は円筒形状に形成されており、ファン１７は放熱部１５の空洞部１６に設けられた遠心ファン１７である。【選択図】  図１
2005221191.tif 000002
【特許請求の範囲】
【請求項１】
放熱部と、該放熱部に冷却空気を送風するファンとを備えた電子機器用熱交換器であって、
前記放熱部は前記ファンの外周に設けられ、該放熱部に軸方向から流入した前記冷却空気が径方向に流出し、前記放熱部を通過可能なように構成されていることを特徴とする電子機器用熱交換器。
【請求項２】
前記放熱部は円筒形状に形成されており、前記ファンは前記放熱部の空洞部に設けられた遠心ファンである請求項１に記載の電子機器用熱交換器。
【発明の詳細な説明】
【技術分野】
【０００１】
本発明は、パソコン等の電子機器を冷却するために設けられる水冷式ヒートシンクにおいて使用される電子機器用熱交換器に関する。
【背景技術】
【０００２】
従来、パソコン等の電子機器において、ＣＰＵ（Central
Processing Unit）等の発熱部品を冷却するため、吸熱部と放熱部を一体化した空冷式ヒートシンクを発熱部品に取り付け、このヒートシンクに冷却空気を強制的に流通させていた。
【０００３】
しかしながら、近年、電子機器の小型化の要請やＣＰＵの高性能化に伴う発熱量の増大等の理由により、冷却性能に優れた水冷式ヒートシンクが採用されるようになってきている。
【０００４】
この種の従来の水冷式ヒートシンクは、例えば、図７に示すように、ＣＰＵ１に取り付けられた水冷ジャケット２と、冷却水循環路３を介して水冷ジャケット２に接続された熱交換器４とを備えており、熱交換器４は放熱部５と放熱部５の前面側に対向して設けられたファン６とから構成されている。
【０００５】
そして、このような構成のもと、水冷ジャケット２においてＣＰＵ１から吸熱した冷却水は、冷却水循環路３を通って放熱部５に送られ、放熱部５において放熱すると共にファン５により送風された冷却空気によって冷却されるようになっている（例えば、特許文献１参照）。
【０００６】
【特許文献１】特開２００３−２８３１７３号公報
【発明の開示】
【発明が解決しようとする課題】
【０００７】
ところが、上記した従来の電子機器用熱交換器では、放熱部５に対する冷却空気は軸方向に沿って放熱部５の背面側に排出されるように構成されていたため、排気の流れが阻害されないように放熱部５を壁７等の障害物から十分な距離、離間させる必要があった。そのため、電子機器８の設置スペースが増大し、使い勝手が悪いといった問題があった。
【０００８】
また、ノート型パソコンにおいては、放熱部５やファン６の設置スペースがさらに制限され、しかも、放熱部５の背面側に排気用の大きな開口部を設けることは事実上不可能であるため、上記した従来の電子機器用熱交換器によりノート型パソコンの水冷化を図ることは極めて困難であった。
【０００９】
本発明は、上記した課題を解決すべくなされたものであり、省スペース化が可能で、ノート型パソコンにも容易に設置可能な電子機器用熱交換器を提供しようとするものである。
【課題を解決するための手段】
【００１０】
本発明は、放熱部１５と、放熱部１５に冷却空気を送風するファン１７とを備えた電子機器１９用熱交換器１４であって、放熱部１５はファン１７の外周に設けられ、放熱部１５に軸方向から流入した前記冷却空気が径方向に流出し、放熱部１５を通過可能なように構成されていることを特徴とする。
【００１１】
そして、好ましくは、放熱部１５は円筒形状に形成されており、ファン１７は放熱部１５の空洞部１６に設けられた遠心ファン１７である。
【発明の効果】
【００１２】
本発明によれば、冷却空気は放熱部の径方向に排気されるように構成されているため、放熱部の背面側を障害物から離間させる必要がない。したがって、電子機器の設置スペースの省スペース化が可能となり、また、ノート型パソコンにも容易に収容可能となる等、種々の優れた効果を得ることができる。
【発明を実施するための最良の形態】
【００１３】
以下、図面を参照しつつ、本発明の実施の形態について説明する。
【００１４】
先ず、図１を参照しつつ、本発明の実施の形態に係る電子機器用熱交換器を備えた水冷式ヒートシンクについて概略説明する。
【００１５】
水冷式ヒートシンクは、ＣＰＵ１１に取り付けられた水冷ジャケット１２と、冷却水循環路１３を介して水冷ジャケット１２に接続された熱交換器１４とを備えており、熱交換器１４は円筒形状の放熱部１５と放熱部５の空洞部１６に同心に設けられた遠心ファン１７とから構成されている。
【００１６】
そして、冷却水循環路１３を循環する冷却水は、水冷ジャケット１２においてＣＰＵ１から吸熱した後、放熱部１５において放熱し、遠心ファン１７によって冷却される。この場合、放熱部１５に対する冷却空気は、軸方向から流入し、図１中の矢印で示すように、径方向に流出するように構成されているため、放熱部１５の背面側を壁１８等の障害物から所定距離、離間させる必要はない。そのため、電子機器１９の設置スペースの省スペース化が可能となり、電子機器１９の使い勝手を向上させることができる。
【００１７】
次に、図２及び図３を参照しつつ、本実施の形態に係る電子機器用熱交換器１４について説明する。ここで、図２はその熱交換器１４をノート型パソコンに設置した状態を示す斜視図、図３は熱交換器１４の放熱部１５を示す斜視図である。
【００１８】
電子機器用熱交換器１４は、放熱部１５と放熱部１５に冷却空気を送風する遠心ファン１７とから成り、図２に示すように、ノート型パソコン２０の隅部に収容されている。そして、放熱部１５は、両端部を所定距離、離間させて略円形状に形成させた扁平チューブ２１を積層させると共に各扁平チューブ２１間にフィン２２を介装させて成るコア２３と、扁平チューブ２１と連通するようにコア２３の両端部に接続された一対のタンク２４，２５と、コア２３の上面及び下面にそれぞれ設けられた各補強プレート２６，２７とから構成され、各タンク２４，２５の側面にはそれぞれ冷却水入口２８、及び冷却水出口２９が突設されている。
【００１９】
次に、上記した電子機器用熱交換器１４の作用について説明する。
【００２０】
冷却水入口２８から扁平チューブ２１内に流入した冷却水は、フィン２２を介して放熱し、遠心ファン１７により送風された冷却空気によって冷却される。この場合、放熱部１５に対する冷却空気は、軸方向に沿ってノート型パソコン２０の上方から放熱部１５に流入し、図２の矢印で示すように、径方向に排出される。なお、図２では、冷却空気は２方向に排出されているが、一方向に排出されるようにしてもよい。
【００２１】
このように、上記した電子機器用熱交換器１４では、放熱部１５の空洞部１６に遠心ファン１７が配置されるようになっているため、コンパクトに納めることができ、また、放熱部１５の背面側に排気用の開口部を設ける必要がないため、ノート型パソコンにも容易に収容可能である。
【００２２】
なお、放熱部１４は、図４〜図６に示すように、１本の扁平チューブ３０を折り返しながら又は螺旋状に積層させることにより円筒形状に形成させてもよい。そして、この場合、冷却水入口３１が扁平チューブ３０の下端部に接続されると共に冷却水出口３２が扁平チューブ３０の上端部に接続され、冷却水が遠心ファン１７により送風された冷却空気と対向するように扁平チューブ３０内を上方に向かって流通するように構成されているのが好ましい。この結果、放熱部１４を一層薄型にすることができると共に放熱面積を広く確保することができるため、さらなる省スペース化を図ることができ、熱交換性能を高めることできる。
【００２３】
また、上記した扁平チューブ２１，３０の代わりに、丸管を潰して使用したり、押し出し管（多穴管）や溶接管を使用してもよい。そして、溶接管を使用する場合には、内面側に犠牲材を備えたクラッド材を用いることができるため、水冷式の熱交換器にとって、より好適である。
【００２４】
さらに、上記実施の形態では、放熱部１４は円筒形状を成しているが、これは単なる例示に過ぎず、ファンの外周に配置可能な形状であれば、角筒形状等、他の形状であってもよい。
【００２５】
なお、上記実施の形態では、扁平チューブ２１，３０が複数積層された場合について説明したが、熱性能が満たされる場合には単層であっても構わない。
【図面の簡単な説明】
【００２６】
【図１】本発明の実施の形態に係る電子機器用熱交換器を示す概略説明図である。
【図２】本発明の実施の形態に係る電子機器用熱交換器を示す斜視図である。
【図３】本発明の実施の形態に係る電子機器用熱交換器を示す斜視図である。
【図４】本発明の実施の形態に係る電子機器用熱交換器の別の例を示す斜視図である。
【図５】本発明の実施の形態に係る電子機器用熱交換器の別の例を示す平面図である。
【図６】本発明の実施の形態に係る電子機器用別交換機の別の例を示す側面図である。
【図７】従来例を示す概略説明図である。
【符号の説明】
【００２７】
１４          熱交換器
１５          放熱部
１６          空洞部
１７          遠心ファン
１９          電子機器
【図１】
2005221191.tif 000003
【図２】
2005221191.tif 000004
【図３】
2005221191.tif 000005
【図４】
2005221191.tif 000006
【図５】
2005221191.tif 000007
【図６】
2005221191.tif 000008
【図７】
2005221191.tif 000009